(57)【要約】【課題】Ｗｅｂ環境を利用して、表示部に表示する使用言語を容易に変更することが可能な画像形成装置を提供すること。【解決手段】画像形成装置１００は、Ｗｅｂサーバ機能を、ＰＣ２００・・・，ＰＣ３００・・・，携帯電話４００・・・はＷｅｂブラウザ機能を備えている。ＰＣ２００・・・，ＰＣ３００・・・，携帯電話４００・・・は、画像形成装置１００が保持している個人情報登録用のＷｅｂページにアクセスして個人情報の登録を行い、画像形成装置１００は登録された個人情報に応じてその操作表示部に表示する使用言語の切り替えを行う。【選択図】　　　図１
2004086611.tif 000002
【特許請求の範囲】
【請求項１】
コピー機能、ＦＡＸ機能、およびプリンタ機能のうち少なくとも１つの機能を備え、かつネットワーク上でＷｅｂサーバとして機能する画像形成装置において、
ネットワーク上で端末とデータ通信するための通信手段と、
個人情報を記憶するための記憶手段と、
前記ネットワークを介して端末から入力される使用言語を含む個人情報を前記記憶手段に登録する個人情報登録手段と、
ユーザが動作指示を入力するための表示画面を備えた操作手段と、
前記記憶手段に登録された個人情報に応じて、前記操作手段の表示画面に表示する使用言語を変更する表示変更手段と、
を備えたことを特徴とする画像形成装置。
【請求項２】
前記個人情報登録手段は、前記個人情報を登録するためのホームページを提供し、当該ホームページ上で前記端末から入力される前記個人情報を前記記憶手段に登録することを特徴とする請求項１に記載の画像形成装置。
【請求項３】
前記個人情報登録手段は、ユーザＩＤに対応させて前記個人情報を前記記憶手段に登録し、
前記表示変更手段は、前記操作手段からユーザにより入力されるユーザＩＤに対応する前記記憶手段に登録された個人情報に応じて、前記操作手段の表示画面に表示する使用言語を変更することを特徴とする請求項１または請求項２に記載の画像形成装置。
【請求項４】
前記個人情報は、前記操作手段の表示画面に表示する文字の大きに関する情報を含み、
前記表示変更手段は、前記記憶手段に登録された前記個人情報に応じて、前記操作手段の表示画面に表示する文字の大きさを変更することを特徴とする請求項１〜請求項３のいずれか１つに記載の画像形成装置。
【請求項５】
前記個人情報は、前記操作手段の表示画面に表示する表示形式に関する情報を含み、
前記表示変更手段は、前記記憶手段に登録された個人情報に応じて、前記操作手段の表示画面に表示する表示形式を変更することを特徴とする請求項１〜請求項４のいずれか１つに記載の画像形成装置。
【請求項６】
さらに、
音声ガイダンスを行うための音声発生手段と、
前記記憶手段に登録された前記個人情報に応じて、前記音声発生手段の音声ガイダンスの使用言語を変更する音声ガイダンス変更手段と、
を備えたことを特徴とする請求項１〜請求項５のいずれか１つに記載の画像形成装置。
【発明の詳細な説明】
【０００１】
【発明の属する技術分野】
本発明は、画像形成装置に関し、詳細には、コピー機能、ＦＡＸ機能、およびプリンタ機能のうち少なくとも１つの機能を備え、かつネットワーク上でＷｅｂサーバとして機能する、複写機、ファクシミリ装置、プリンタ装置、およびデジタル複合機等の画像形成装置に関する。
【０００２】
【従来の技術】
コピー、ファクシミリ、およびプリンタ等の画像形成装置では、設置する地域に応じて、１または複数種類の言語データがＲＯＭ上など本体に組み込まれている。そして、ユーザは、操作表示部に表示する言語を、操作表示部を操作して切り替えることが可能となっている。しかしながら、この従来技術においては、操作表示部に表示する使用言語を、ユーザが画像形成装置の操作表示部を操作して切り替える必要があり、その操作が煩わしいという問題がある。
【０００３】
他方、近時のインターネットの普及により、ネットワークに対応した画像形成装置も提案されている。例えば、特開平１１−１９５１２８号公報では、ＰＤＬプリンタが、パーソナルコンピュータからネットワークを介して文書等の情報をページ記述言語で受け取り、ページ記述言語のデータから作成したラスター画像によりＷｅｂページを作成し、ネットワークを通じて公開および提供する技術が開示されている。このように、Ｗｅｂに対応した画像形成装置が普及しつつあり、Ｗｅｂ対応型の画像形成装置が望まれている。
【０００４】
【発明が解決しようとする課題】
本発明は、上記に鑑みてなされたものであり、Ｗｅｂ環境を利用して、表示部に表示する使用言語を容易に変更することが可能な画像形成装置を提供することを目的とする。
【０００５】
【課題を解決するための手段】
上記課題を解決するために、請求項１にかかる画像形成装置は、コピー機能、ＦＡＸ機能、およびプリンタ機能のうち少なくとも１つの機能を備え、かつネットワーク上でＷｅｂサーバとして機能する画像形成装置において、ネットワーク上で端末とデータ通信するための通信手段と、個人情報を記憶するための記憶手段と、前記ネットワークを介して端末から入力される使用言語を含む個人情報を前記記憶手段に登録する個人情報登録手段と、ユーザが動作指示を入力するための表示画面を備えた操作手段と、前記記憶手段に登録された個人情報に応じて、前記操作手段の表示画面に表示する使用言語を変更する表示変更手段と、を備えたことを特徴とする。
【０００６】
上記発明によれば、個人情報登録手段は、ネットワークを介して端末から入力される使用言語を含む個人情報を記憶手段に登録し、記憶手段に登録された個人情報に応じて、前記操作手段の表示画面に表示する使用言語を変更する。
【０００７】
また、請求項２にかかる画像形成装置によれば、請求項１にかかる画像形成装置において、前記個人情報登録手段は、前記個人情報を登録するためのホームページを提供し、当該ホームページ上で前記端末から入力される前記個人情報を前記記憶手段に登録することを特徴とする。
【０００８】
上記発明によれば、個人情報登録手段は、個人情報を登録するためのホームページを提供し、当該ホームページ上で端末から入力される個人情報を記憶手段に登録する。
【０００９】
また、請求項３にかかる画像形成装置によれば、請求項１または請求項２にかかる画像処理装置において、前記個人情報登録手段は、ユーザＩＤに対応させて前記個人情報を前記記憶手段に登録し、前記表示変更手段は、前記操作手段からユーザにより入力されるユーザＩＤに対応する前記記憶手段に登録された個人情報に応じて、前記操作手段の表示画面に表示する使用言語を変更することを特徴とする。
【００１０】
上記発明によれば、個人情報登録手段は、ユーザＩＤに対応させて個人情報を記憶手段に登録し、表示変更手段は、操作手段からユーザにより入力されるユーザＩＤに対応する記憶手段に登録された個人情報に応じて、操作手段の表示画面に表示する使用言語を変更する。
【００１１】
また、請求項４にかかる画像形成装置によれば、請求項１〜請求項３のいずれか１つにかかる画像形成装置において、前記個人情報は、前記操作手段の表示画面に表示する文字の大きに関する情報を含み、前記表示変更手段は、前記記憶手段に登録された前記個人情報に応じて、前記操作手段の表示画面に表示する文字の大きさを変更することを特徴とする。
【００１２】
上記発明によれば、個人情報登録手段は、個人情報として、操作手段の表示画面に表示する文字の大きに関する情報を登録し、表示変更手段は、記憶手段に登録された個人情報に応じて、操作手段の表示画面に表示する文字の大きさを変更する。
【００１３】
また、請求項５にかかる画像形成装置によれば、請求項１〜請求項４のいずれか１つにかかる画像形成装置において、前記個人情報は、前記操作手段の表示画面に表示する表示形式に関する情報を含み、前記表示変更手段は、登録された個人情報に応じて、前記操作手段の表示画面に表示する表示形式を変更することを特徴とする。
【００１４】
上記発明によれば、個人情報登録手段は、個人情報として操作手段の表示画面に表示する表示形式に関する情報を登録し、表示変更手段は、登録された個人情報に応じて、前記操作手段の表示画面に表示する表示形式を変更する。
【００１５】
また、請求項６にかかる画像形成装置によれば、請求項１〜請求項５のいずれか１つにかかる画像形成装置において、さらに、音声ガイダンスを行うための音声発生手段と、前記記憶手段に登録された前記個人情報に応じて、前記音声発生手段の音声ガイダンスの使用言語を変更する音声ガイダンス変更手段と、を備えたことを特徴とする。
【００１６】
上記発明によれば、音声ガイダンス変更手段は、記憶手段に登録された個人情報に応じて、音声発生手段の音声ガイダンスの使用言語を変更する。
【００１７】
【発明の実施の形態】
以下、図面を参照して、本発明にかかる画像形成装置の好適な実施の形態を、［ネットワークシステム］、［画像形成装置］、［画像形成装置への個人情報の登録］、［画像形成装置の操作表示部の表示切り替え］の順に詳細に説明する。
【００１８】
［ネットワークシステム］
図１は、本発明にかかる画像形成装置が接続されるネットワークシステムの概略構成図である。図１において、１はインターネット、２はイーサーネット（Ｒ）３をインターネットに接続するためのゲートウエイ、３はゲートウエイ２を介してインターネットに接続されるイーサーネット（Ｒ）を示している。このイーサーネット（Ｒ）３には、画像形成装置１００、ＰＣ（パーソナルコンピュータ）２００・・等が接続されている。また、インターネット１には、ＰＣ（パーソナルコンピュータ）３００・・・、携帯電話４００・・・等が接続される。
【００１９】
画像形成装置１００は、Ｗｅｂサーバとしての機能を備えている。ＰＣ２００・・・、ＰＣ３００・・・、携帯電話４００・・・は、Ｗｅｂブラウザアプリケーションソフトが搭載されており、この画像形成装置１００が保持しているＷｅｂページを閲覧することが可能となっている。画像形成装置１００は、個人情報登録用のＷｅｂページを保持しており、ＰＣ２００・・・、ＰＣ３００・・・、携帯電話４００・・・は、画像形成装置１００の個人情報登録用のＷｅｂページにアクセスして個人情報の登録を行う。そして、画像形成装置１００は登録された個人情報に応じて操作表示部の表示の切り替えを行う。
【００２０】
［画像形成装置］
図２は、図１の画像形成装置の概略構成を示すブロック図である。図２に示す画像形成装置は、コピー機能、プリンタ機能、およびファクシミリ機能を備えたデジタル複合機である。画像形成装置１００は、図２に示す如く、操作表示部１０９から入力される操作指示等に従って、画像形成装置の全体の動作を制御するＣＰＵ１０１と、ＣＰＵ１０１を動作させるためのプログラムを格納したＲＯＭ１０２と、ＣＰＵ１０１のワークエリアとして使用されるＲＡＭ１０３と、スキャナ部１１０で読み取られた画像データまたは外部から入力される画像データを一時的に格納するための画像メモリ１０４と、個人情報が登録される個人情報メモリ１０５と、操作表示部１０９に表示画面を表示するためのデータが格納されている言語用メモリ１０６と、イーサーネット（Ｒ）３に接続するためのＬＡＮ／ＩＦ１０７と、Ｗｅｂページ等を格納するためのＨＤＤ１０８と、ユーザーが動作指示を与えるための操作表示部１０９と、原稿の画像データを読み取るためのスキャナ部１１０と、スキャナ部１１０で読み取った画像データに対して各種画像処理を施す画像処理部１１１と、画像データを電子写真方式で紙に印字するためのプリンタ部１１２と、ファクシミリデータの送受信を行うためのファクシミリ部１１３と、音声ガイダンスを出力するためのスピーカー１１４とを備えている。各部はバスを介して互いに接続されている。
【００２１】
ＣＰＵ１０１は、画像形成装置の全体を制御するユニットであり、ＲＯＭ１０２に格納されたプログラムに従って、ＲＡＭ１０３をワークエリアとして使用して画像形成装置の制御を行う。ＲＯＭ１０２は、ＣＰＵ１０１で使用される各種制御プログラムや各種データが記憶されている。ＲＡＭ１０３は、ＣＰＵ１０１のワークメモリとして使用される。
【００２２】
ＣＰＵ１０１は、バスを介して、ＲＯＭ１０２、ＲＡＭ１０３、画像メモリ１０４、個人情報メモリ１０５、言語用メモリ１０６、ＬＡＮ／ＩＦ１０７、ＨＤＤ１０８、操作表示部１０９、スキャナ部１１０、画像処理部１１１、プリンタ部１１２、ファクシミリ部１１３、およびスピーカー１１４が接続されており、画像読み取りの制御、印字制御、表示制御、およびデータ通信等の制御を行う。
【００２３】
また、ＣＰＵ１０１は、ＲＯＭ１０２に格納されているＷｅｂサーバソフトを実行して、ＨＤＤ１０８に格納されているＷｅｂページをネットワーク上に公開および提供する。Ｗｅｂページは、上述のＷｅｂアプリケーションソフトにより閲覧可能な言語であるＨＴＭＬで記述されている。
【００２４】
個人情報メモリ１０５は、ＰＣ２００・・・、ＰＣ３００・・・や携帯電話４００・・・から入力される個人情報が登録される。図３は、個人情報メモリ１０５のメモリ構成例を示す図である。個人情報メモリ１０５には、図３に示す如く、ＣＰＵ１０１が発行するユーザＩＤに対応させて、氏名、操作表示部１０９の液晶タッチパネル表示部１４０に表示およびスピーカー１１４からの音声ガイダンスに使用する使用言語（日本語、英語、フランス語、中国語等）、操作表示部１０９に表示するフォントの大きさ（大、中、小）、ならびに操作表示部１０９に表示する表示形式（簡単形式、通常形式、詳細形式）が登録される。ＣＰＵ１０１は、ＰＣ２００・・・、ＰＣ３００・・・、および携帯電話４００等から入力される個人情報を、ユーザＩＤに対応させて個人情報メモリ１０５に登録する。
【００２５】
言語用メモリ１０６には、操作表示部１０９の液晶タッチパネル表示部１４０に表示データを表示するための言語データ（日本語データ、英語データ、フランス語データ、中国語データ）、フォントデータ（フォント大データ、フォント中データ、フォント小データ）、および表示形式データ（簡単形式データ、通常形式データ、詳細形式データ）、ならびに音声ガイダンスを行うための音声データ（日本語音声データ、英語音声データ、フランス語音声データ、中国語音声データ）が格納されている。
【００２６】
図４は、言語用メモリ１０６のメモリ構成例を示す図である。言語用メモリ１０６は、図４に示す如く、言語データ（日本語データ、英語データ、フランス語データ、中国語データ）記憶領域１２１、フォントデータ（フォント大データ、フォント中データ、フォント小データ）記憶領域１２２、および表示形式データ（簡単形式データ、通常形式データ、詳細形式データ）記憶領域１２３、ならびに音声ガイダンスを行うための音声データ（日本語音声データ、英語音声データ、フランス語音声データ、中国語音声データ）記憶領域１２４を備えている。言語用メモリ１０６に格納されるデータは、予め言語用メモリ１０６に記録されている場合や通信回線を介してダウンロードされて格納される場合等があり、言語用メモリ１０６にはデータの追加が可能となっている。ＣＰＵ１０１は、言語用メモリ１０６に格納されているデータを使用して表示データを作成し、作成した表示データを操作表示部１０９の液晶タッチパネル表示部１４０に表示する。
【００２７】
操作表示部１０９は、ユーザーが画像形成装置に各種動作指示を与えるためのユーザーインターフェースである。図５は、操作表示部１０９の外観構成を示す図である。操作表示部１０９は、同図に示す如く、キー操作部１３０と液晶タッチパネル表示部１４０とからなる。液晶タッチパネル表示部１４０は、各種メッセージ（例えば、”コピーができます”や”コピー枚数”等）が表示されるとともに、機能キー（ソフトキー）を操作して各種設定を行うためのものである。キー操作部１３０は、コピー枚数などの各種設定の入力に使われる操作キー（ハードキー）を備えている。同図において、１３１はコピー動作の開始指示を与えるためのスタートキー、１３２はコピー動作の中止指示を与えるためのストップキー、１３３は数字等を入力するためのテンキーを示している。
【００２８】
［画像形成装置の個人情報の登録］
つぎに、図１に示すＰＣ２００・・・、ＰＣ３００・・・、携帯電話４００・・・から画像形成装置１００の個人情報申込用のＷｅｂページにアクセスして個人情報の登録を行う場合の処理を図６〜図８を参照して説明する。以下、図１に示すＰＣ２００・・・、ＰＣ３００・・・、携帯電話４００・・・を「端末」と称する。図６は、端末から画像形成装置１００の個人情報申込用のＷｅｂページにアクセスして個人情報の登録を行う場合の処理を説明するためのフローチャート、図７は、画像形成装置１００から端末に送出される個人情報登録用ページの表示例、図８は、画像形成装置１００から端末に送出される登録完了ページの表示例を示している。以下の説明では、画像形成装置１００に端末が接続されたものとして処理を説明し、その接続手順の説明は省略する。
【００２９】
図６において、画像形成装置１００に端末が接続されると、画像形成装置１００では、ＣＰＵ１０１が、端末に対して、図７に示す個人情報登録用ページ１５０を表示するためのＨＴＭＬデータを端末に送出する（ステップＳ１）。
【００３０】
端末は、このＨＴＭＬデータを受信すると（ステップＴ１）、図７に示す個人情報登録用ページ１５０にかかる画像データを端末で合成して表示部に表示する（ステップＴ２）。図７に示す個人情報登録用ページ１５０には、氏名入力欄１５１、パスワード入力欄１５２、Ｅ−Ｍａｉｌ　Ａｄｄｒｅｓｓ入力欄１５３、使用言語（日本語、英語、フランス語、中国語等）選択欄１５４、フォント（大、中、小）選択欄１５５、表示形式（簡単表示、通常表示、詳細表示等）選択欄１５６、および「登録」ボタン１５７が表示されている。
【００３１】
端末では、この個人情報登録用ページにおいて、氏名入力欄１５１、パスワード入力欄１５２、およびＥ−Ｍａｉｌ　Ａｄｄｒｅｓｓ入力欄１５３で、それぞれ、氏名、パスワード、およびＥ−Ｍａｉｌ　Ａｄｄｒｅｓｓを入力し、使用言語（日本語、英語、フランス語、中国語等）選択欄１５４、フォント（大、中、小）選択欄１５５、表示形式（簡単表示、通常表示、詳細表示等）選択欄１５６で使用言語、フォント、表示形式をそれぞれ選択した後（ステップＴ３）、「登録」ボタン１５７を選択すると、入力および選択された内容が画像形成装置１００に通知される（ステップＴ４）。
【００３２】
画像形成装置１００では、ＣＰＵ１０１は、端末から入力および選択された内容を受信すると（ステップＳ２）、ユーザＩＤを生成し（ステップＳ３）、生成したユーザＩＤに対応させて、通知された氏名、パスワード、Ｅ−Ｍａｉｌ　Ａｄｄｒｅｓｓ、使用言語（日本語、英語、フランス語、中国語）、フォント（大、中、小）、表示形式（簡単表示、通常表示、詳細表示）を個人情報メモリ１０５に登録する（ステップＳ４）。この後、ＣＰＵ１０１は、生成したユーザＩＤとパスワードを記述した図８に示す登録完了ページ１６０を表示するためのＨＴＭＬデータを端末に送出する（ステップＳ５）。
【００３３】
端末では、このＨＴＭＬデータを受信すると（ステップＴ５）、図８に示す登録完了ページ１６０にかかる画像データを合成して表示部に表示する（ステップＴ６）。このようにして、端末のユーザは、画像形成装置１００に個人情報を登録して、画像形成装置１００の操作表示部１０９の液晶タッチパネル表示部１４０に表示する所望の言語、フォント、表示形式を登録することが可能となる。
【００３４】
［画像形成装置の操作表示部の表示切り替え］
画像形成装置１００の操作表示部１０９の液晶タッチパネル表示部１４０の表示の切り替えを図９〜図１１を参照して説明する。図９は、画像形成装置１００の操作表示部１０９の液晶タッチパネル表示部１４０の表示の切り替え処理を説明するためのフローチャート、図１０および図１１は、操作表示部１０９の液晶タッチパネル表示部１４０の表示例を示している。
【００３５】
図９において、画像形成装置１００では、電源が投入されると（ステップＳ１０）、ＣＰＵ１０１は、操作表示部１０９の液晶タッチパネル表示部１４０にユーザＩＤ入力画面を表示する（ステップＳ１１）。そして、ユーザによりユーザＩＤ入力画面でユーザＩＤが入力されると（ステップＳ１２）、ＣＰＵ１０１は、入力されたユーザＩＤが個人情報メモリ１０５に登録されているか否かを判断し（ステップＳ１３）、入力されたユーザＩＤが個人情報メモリ１０５に登録されていない場合には、”入力されたユーザＩＤは登録されておりません”という警告を液晶タッチパネル表示部１４０に表示する（ステップＳ１７）。
【００３６】
他方、入力されたユーザＩＤが個人情報メモリ１０５に登録されている場合には、ＣＰＵ１０１は、入力されたユーザＩＤに対応する使用言語、フォント、表示形式を読出し（ステップＳ１４）、言語用メモリ１０６に格納されている対応する使用言語データ、フォントデータ、および表示形式データに基づいて、表示データを作成し（ステップＳ１５）、液晶タッチパネル表示部１４０に表示する（ステップＳ１６）。例えば、ユーザＩＤに対応させて、個人情報メモリ１０５に使用言語”英語”、フォント”中”、表示形式”通常形式”が登録されている場合には、言語用メモリ１０６に格納されている英語データ、フォント中サイズデータ、および通常形式データに基づいて、英語で表記されフォントが中サイズの通常形式の表示データを作成して、液晶タッチパネル表示部１４０に表示する。
【００３７】
なお、図９のフローチャートには示していないが、ＣＰＵ１０１は、言語用メモリ１０６に格納されている、入力されたユーザＩＤに対応する使用言語の音声データを使用してスピーカー１１４から音声ガイダンスを行う。例えば、ユーザＩＤに対応させて、個人情報メモリ１０５に使用言語”英語”が登録されている場合には、言語用メモリ１０６に格納されている英語音声データを使用してスピーカー１１４から英語による音声ガイダンスを行う。
【００３８】
図１０は、使用言語”日本語”、表示形式”簡単形式”とした場合に、フォントの大きさを変えた場合の操作表示部１０９の液晶タッチパネル表示部１４０の表示例を示しており、同図（Ａ）は、フォント”小”、同図（Ｂ）はフォント”中”、同図（Ｃ）はフォント”大”の場合を示している。
【００３９】
図１１は、使用言語”日本語”、フォント”中”、とした場合に、表示形式を変えた場合の操作表示部１０９の液晶タッチパネル表示部１４０の表示例を示しており、同図（Ａ）は、表示形式”簡単表示”、同図（Ｂ）は表示形式”通常表示”、同図（Ｃ）は表示形式”詳細表示”の場合を示している。
【００４０】
以上説明したように、上記した実施の形態によれば、画像形成装置１００は、ネットワークを介して端末から入力される使用言語を含む個人情報を個人情報メモリ１０５に登録し、登録された個人情報（使用言語）に応じて、操作表示部１０９の液晶タッチパネル表示部１４０に表示する使用言語を変更することとしたので、Ｗｅｂ環境を利用して、容易に表示画面に表示する使用言語を変更することが可能となる。
【００４１】
また、画像形成装置１００は、個人情報を登録するためのホームページを提供し、当該ホームページ上で端末から入力される個人情報を個人情報メモリ１０５に登録することとしたので、ホームページ上で端末から個人情報を登録することができ、端末から個人情報を簡単に登録することが可能となる。
【００４２】
また、画像形成装置１００は、ユーザＩＤに対応させて個人情報を個人情報メモリ１０５に登録し、操作表示部１０９からユーザにより入力されるユーザＩＤに対応する個人情報メモリ１０５に登録された個人情報に応じて、操作表示部１０９の液晶タッチパネル表示部１４０に表示する使用言語を変更することとしたので、ユーザは、ユーザＩＤを入力するだけで、操作表示部１０９の液晶タッチパネル表示部１４０に所望の使用言語を表示することが可能となる。
【００４３】
また、画像形成装置１００は、個人情報メモリ１０５に登録された個人情報（フォントサイズ）に応じて、操作表示部１０９の液晶タッチパネル表示部１４０に表示する文字の大きさを変更することとしたので、容易に操作表示部１０９の液晶タッチパネル表示部１４０に表示する文字の大きさを変更することが可能となる。
【００４４】
また、画像形成装置１００は、個人情報メモリ１０５に登録された個人情報（表示形式）に応じて、操作表示部１０９の液晶タッチパネル表示部１４０に表示する表示形式を変更することとしたので、容易に操作表示部１０９の液晶タッチパネル表示部１４０に表示する表示形式を変更することが可能となる。
【００４５】
また、画像形成装置１００は、個人情報メモリ１０５に登録された個人情報（表示形式）に応じて、スピーカー１１４から発する音声ガイダンスの使用言語を変更することとしたので、容易に音声ガイダンスの使用言語を変更することが可能となる。
【００４６】
なお、本発明は、上記した実施の形態に限定されるものではなく、発明の要旨を変更しない範囲で適宜変形可能である。
【００４７】
例えば、上記した実施の形態では、画像形成装置として、コピー機能、ＦＡＸ機能、およびプリンタ機能を備えたデジタル複合機を例示して説明したが、本発明はこれに限られるものではなく、複写機、ファクシミリ装置、プリンタ装置等の他の画像形成装置に適用することが可能である。また、上記した実施の形態では、端末として、ＰＣ、携帯電話を例示して説明したが、ＰＤＡやＰＨＳ等の他の端末を使用することにしても良い。
【００４８】
【発明の効果】
以上説明したように、請求項１にかかる画像形成装置によれば、コピー機能、ＦＡＸ機能、およびプリンタ機能のうち少なくとも１つの機能を備え、かつネットワーク上でＷｅｂサーバとして機能する画像形成装置において、ネットワーク上で端末とデータ通信するための通信手段と、個人情報を記憶するための記憶手段と、前記ネットワークを介して端末から入力される使用言語を含む個人情報を前記記憶手段に登録する個人情報登録手段と、ユーザが動作指示を入力するための表示画面を備えた操作手段と、前記記憶手段に登録された個人情報に応じて、前記操作手段の表示画面に表示する使用言語を変更する表示変更手段と、を備えたこととしたので、Ｗｅｂ環境を利用して、容易に表示画面に表示する使用言語を切り替えることが可能な画像形成装置を提供することが可能となる。
【００４９】
また、請求項２にかかる画像形成装置によれば、請求項１にかかる画像形成装置において、前記個人情報登録手段は、前記個人情報を登録するためのホームページを提供し、当該ホームページ上で前記端末から入力される前記個人情報を前記記憶手段に登録することとしたので、請求項１にかかる発明の効果に加えて、ホームページ上で端末から個人情報を登録することができ、端末から個人情報を簡単に登録することが可能となる。
【００５０】
また、請求項３にかかる画像形成装置によれば、請求項１または請求項２にかかる画像形成装置において、前記個人情報登録手段は、ユーザＩＤに対応させて前記個人情報を前記記憶手段に登録し、前記表示変更手段は、前記操作手段からユーザにより入力されるユーザＩＤに対応する前記記憶手段に登録された個人情報に応じて、前記操作手段の表示画面に表示する使用言語を変更することとしたので、請求項１または請求項２にかかる発明の効果に加えて、ユーザは、ユーザＩＤを入力するだけで、操作手段の表示画面に所望の使用言語を表示することが可能となる。
【００５１】
また、請求項４にかかる画像形成装置によれば、請求項１〜請求項３のいずれか１つにかかる画像形成装置において、前記個人情報は、前記操作手段の表示画面に表示する文字の大きに関する情報を含み、前記表示変更手段は、前記記憶手段に登録された前記個人情報に応じて、前記操作手段の表示画面に表示する文字の大きさを変更することとしたので、請求項１〜請求項３のいずれか１つにかかる発明の効果に加えて、容易に表示画面に表示する文字の大きさを変更することが可能となる。
【００５２】
また、請求項５にかかる画像形成装置によれば、請求項１〜請求項４のいずれか１つにかかる画像形成装置において、前記個人情報は、前記操作手段の表示画面に表示する表示形式に関する情報を含み、前記表示変更手段は、登録された個人情報に応じて、前記操作手段の表示画面に表示する表示形式を変更することとしたので、容易に表示画面に表示する表示形式を変更することが可能となる。
【００５３】
また、請求項６にかかる画像形成装置によれば、請求項１〜請求項５のいずれか１つにかかる画像形成装置において、さらに、音声ガイダンスを行うための音声発生手段と、前記記憶手段に登録された前記個人情報に応じて、前記音声発生手段の音声ガイダンスの使用言語を変更する音声ガイダンス変更手段と、を備えたこととしたので、請求項１〜請求項５のいずれか１つにかかる発明の効果に加えて、容易に音声ガイダンスの使用言語を変更することが可能となる。
【図面の簡単な説明】
【図１】本発明にかかる画像形成装置が接続されるネットワークシステムの概略構成図である。
【図２】図１の画像形成装置の概略構成を示すブロック図である。
【図３】図２の個人情報メモリのメモリ構成例を示す図である。
【図４】図２の言語用メモリのメモリ構成例を示す図である。
【図５】図２の操作表示部の外観構成を示す図である。
【図６】端末から画像形成装置の個人情報申込用のＷｅｂページにアクセスして個人情報の登録を行う場合の処理を説明するためのフローチャートである。
【図７】画像形成装置から端末に送出される個人情報登録用ページの表示例を示す図である。
【図８】画像形成装置から端末に送出される登録完了ページの表示例を示す図である。
【図９】画像形成装置の操作表示部の表示の切り替え処理を説明するためのフローチャートである。
【図１０】操作表示部の液晶タッチパネル表示部の表示例を示す図である。
【図１１】操作表示部の液晶タッチパネル表示部の表示例を示す図である。
【符号の説明】
１　　　インターネット
２　　　ゲートウエイ
３　　　イーサーネット
１００　画像形成装置
１０１　ＣＰＵ
１０２　ＲＯＭ
１０３　ＲＡＭ
１０４　画像メモリ
１０５　個人情報メモリ
１０６　言語用メモリ
１０７　ＬＡＮ／ＩＦ
１０８　ＨＤＤ
１０９　操作表示部
１１０　スキャナ部
１１１　画像処理部
１１２　プリンタ部
１１３　ファクシミリ部
１１４　スピーカー
１３０　キー操作部
１４０　液晶タッチパネル表示部
２００、３００　ＰＣ（パーソナルコンピュータ）
４００　携帯電話
【図１】
2004086611.tif 000003
【図２】
2004086611.tif 000004
【図３】
2004086611.tif 000005
【図４】
2004086611.tif 000006
【図５】
2004086611.tif 000007
【図６】
2004086611.tif 000008
【図７】
2004086611.tif 000009
【図８】
2004086611.tif 000010
【図９】
2004086611.tif 000011
【図１０】
2004086611.tif 000012
【図１１】
2004086611.tif 000013